(57)【要約】【課題】連続紙の搬送の異常停止時に連続紙の画像形成部への接触を防ぎ、その際の連続紙からのインクの付着や、付着したインクの連続紙への再付着を抑制する。【解決手段】駆動ローラ３ｃのモータの異常停止によりロール紙９の搬送が異常停止されると、折り返しローラ３ａ，３ｂ間のロール紙９に付与される張力Ｔが低下して、折り返しローラ３ｂがコイルばね５の弾発力Ｓにより付勢される。そして、折り返しローラ３ａとの軸間距離が増える方向に折り返しローラ３ｂが移動する。すると、折り返しローラ３ｂ及び駆動ローラ３ｃ間のロール紙９の搬送経路が長くなり、折り返しローラ３ａ，３ｂ間のロール紙９の張力Ｔが、駆動ローラ３ｃのモータが異常停止する前の大きさ又はそれに近い大きさに増加する。したがって、折り返しローラ３ａ，３ｂ間のロール紙９には弛みが生じにくくなる。【選択図】図２
2019177504.tif 000002
【特許請求の範囲】
【請求項１】
連続紙の一方の面に画像を形成する画像形成部と、
前記連続紙の搬送方向に前記画像形成部を挟んで所定間隔を置いた２か所を、ぞれぞれ前記連続紙の他面側から支持しながら前記連続紙を搬送させる２つのローラと、
前記連続紙の搬送が停止した場合に、前記２つのローラのうち、少なくとも１つのローラを、前記所定間隔が増える方向に移動させる移動部と、
を備える画像形成装置。
【請求項２】
前記移動部は、前記連続紙の搬送中において、前記少なくとも１つのローラに対して、前記所定間隔が増える方向に付勢している付勢部を有している請求項１記載の画像形成装置。
【請求項３】
前記移動部による移動後において、前記少なくとも１つのローラの搬送方向への移動を所定位置までに抑えるニップ部をさらに備える請求項１又は２記載の画像形成装置。
【発明の詳細な説明】
【技術分野】
【０００１】
本発明は、連続紙に画像を形成する画像形成装置に関する。
【背景技術】
【０００２】
帯状の長尺な連続紙の搬送経路上で、インクジェットヘッドのノズルから吐出したインクにより画像を印刷するインクジェット記録装置が知られている。
【０００３】
この種のインクジェット記録装置においては、停電や故障の発生等により連続紙の搬送が異常停止されると、搬送部による連続紙への張力の付与が不十分となる可能性がある。連続紙に十分な張力が付与されなくなると、インクジェットヘッドのノズル面の下方に位置する連続紙に弛みが生じてノズル面に接触する。
【０００４】
弛んだ連続紙がインクジェットヘッドのノズル面に接触すると、インクジェットヘッドの破損や印刷不良の原因となる。
【０００５】
そこで、本出願人は、連続紙の搬送が異常停止されたときに、インクジェットヘッドの脇に待機させた押え部材を下動させ、インクジェットヘッドのノズル面の下方に位置する連続紙の印刷面を押し下げる構成を、過去に提案している。
【０００６】
この構成によれば、搬送の異常停止により連続紙が撓んでも、インクジェットヘッドのノズル面から連続紙を確実に離間させて、連続紙のノズル面への接触を防ぐことができる（例えば、特許文献１）。
【先行技術文献】
【特許文献】
【０００７】
【特許文献１】特開２０１７−７１３４号公報
【発明の概要】
【発明が解決しようとする課題】
【０００８】
上述した提案の構成において、印刷後の連続紙の印刷面を押し下げる押え部材に、印刷面の乾ききっていないインクが付着すると、押え部材のインクが連続紙の印刷面に再付着して印刷面の画像の画質を劣化させる可能性がある。
【０００９】
このような問題は、インクジェット方式の画像形成装置に限らず、例えば、電子写真方式、サーマルヘッド方式、孔版印刷方式等の、インクジェット方式以外の方式による画像形成装置においても、同様に発生する可能性がある。
【００１０】
本発明は前記事情に鑑みなされたもので、本発明の目的は、連続紙の搬送の異常停止時に連続紙の画像形成部への接触を防ぐと共に、連続紙の画像形成部への接触を防ぐ際に、連続紙からのインクの付着や、付着したインクの連続紙への再付着を抑制することができる画像形成装置を提供することにある。
【課題を解決するための手段】
【００１１】
上記目的を達成するために、本発明の一つの態様による画像形成装置は、
連続紙の一方の面に画像を形成する画像形成部と、
前記連続紙の搬送方向に前記画像形成部を挟んで所定間隔を置いた２か所を、ぞれぞれ前記連続紙の他面側から支持しながら前記連続紙を搬送させる２つのローラと、
前記連続紙の搬送が停止した場合に、前記２つのローラのうち、少なくとも１つのローラを、前記所定間隔が増える方向に移動させる移動部と、
を備える。
【発明の効果】
【００１２】
本発明によれば、連続紙の搬送の異常停止時に連続紙の画像形成部への接触を防ぐと共に、連続紙の画像形成部への接触を防ぐ際に、連続紙からのインクの付着や、付着したインクの連続紙への再付着を抑制することができる。
【図面の簡単な説明】
【００１３】
【図１】本発明の一実施形態に係るライン型インクジェット記録装置の概略構成を示す説明図である。
【図２】図１のヘッド下搬送部の一対の折り返しローラ間のロール紙の状態を示すもので、（ａ）はロール紙の搬送停止時に一対の折り返しローラの軸間距離が変化しない場合のロール紙の状態を示す説明図、（ｂ）はロール紙の搬送時におけるロール紙の状態を示す説明図、（ｃ）はロール紙の搬送停止時に一対の折り返しローラの軸間距離が増えた場合のロール紙の状態を示す説明図である。
【図３】図１のロール紙の搬送中及び搬送停止中における一対の折り返しローラ間のロール紙の状態を示す説明図である。
【図４】本発明の他の実施形態に係るライン型インクジェット記録装置に設けたニップ部材を示す説明図である。
【図５】図１のロール紙の搬送停止に伴い移動した一方の折り返しローラが図４のニップ部材に圧接した状態を示す説明図である。
【図６】本発明のさらに他の実施形態に係るライン型インクジェット記録装置における各ヘッドユニットに対応した一対の折り返しローラの配置を示す説明図である。
【発明を実施するための形態】
【００１４】
以下、本発明の実施形態について、図面を参照して説明する。各図面を通じて同一もしくは同等の部位や構成要素には、同一もしくは同等の符号を付している。但し、図面は模式的なものであり、現実のものとは異なることに留意すべきである。また、図面相互間においても互いの寸法の関係や比率が異なる部分が含まれていることは勿論である。
【００１５】
さらに、以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
図１は本発明の一実施形態に係るライン型インクジェット記録装置の概略構成を示す説明図である。図１に示すライン型インクジェット記録装置１（以下、インクジェット記録装置１と略記する。）は、送出部２、ヘッド下搬送部３、プリンタ部４、巻取部６及び制御ユニット１０を備えている。
【００１７】
送出部２は、本実施形態では、紙管９ａに巻き付けてロール紙収容部７に軸支されたロール紙９を、張力調整用のダンサローラ２ａ及びブレーキ２ｂを介してヘッド下搬送部３に送り出す。
【００１８】
ブレーキ２ｂは、ロール紙収容部７から繰り出されたロール紙９にブレーキをかける。これにより、送出部２と後述するヘッド下搬送部３の駆動ローラ３ｃとの間のロール紙９に張力Ｔが付与される。ブレーキ２ｂのブレーキ力は、駆動ローラ３ｃによるロール紙９の搬送速度に合わせて、制御ユニット１０によって制御される。
【００１９】
ヘッド下搬送部３は、送出部２から送り出されたロール紙９を支持する折り返しローラ３ａ，３ｂと、送出部２から送り出されたロール紙９を搬送する駆動ローラ３ｃとを有している。
【００２０】
折り返しローラ３ａ，３ｂは、ロール紙９の搬送方向に間隔をおいた箇所を、うら面９ｃ側からそれぞれ支持する。そして、折り返しローラ３ａ，３ｂは、ロール紙９をそれぞれ折り返してロール紙９の向きを変える。これにより、折り返しローラ３ａ，３ｂ間のロール紙９は、おもて面９ｂがプリンタ部４に対向する向きでプリンタ部４の下方を通過する。ロール紙９のおもて面９ｂには、プリンタ部４によりに画像が印刷される。
【００２１】
なお、ロール紙９の搬送方向における下流側の折り返しローラ３ｂは、後述するコイルばね５（図２（ｂ）参照）によって、折り返しローラ３ａとの軸間距離が増える方向（図１中の右方向）に付勢されている。
【００２２】
駆動ローラ３ｃは、ロール紙９の搬送方向における折り返しローラ３ａ，３ｂの下流側に配置されている。駆動ローラ３ｃは、ロール紙収容部７からヘッド下搬送部３に送り出されるロール紙９に、プリンタ部４の下流側への搬送力を付与する。
【００２３】
駆動ローラ３ｃが搬送力を付与するロール紙９に、先に説明したブレーキ２ｂがブレーキをかけることで、折り返しローラ３ａ，３ｂ間のロール紙９に張力Ｔが加えられる。この張力Ｔにより、折り返しローラ３ａ，３ｂ間のロール紙９は、各ヘッドユニット２１、２２、２３、２４に接触せずに、安定して搬送される。
【００２４】
なお、駆動ローラ３ｃは、不図示のモータによって回転される。不図示のモータの駆動、つまり、駆動ローラ３ｃによるロール紙９の搬送は、制御ユニット１０によって制御される。
【００２５】
プリンタ部４は、ヘッドホルダ２５に保持されたＣ色（シアン）、Ｋ色（黒）、Ｍ色（マゼンタ）及びＹ色（イエロー）の４つのヘッドユニット２１、２２、２３、２４とを有している。
【００２６】
各ヘッドユニット２１、２２、２３、２４は、多数のノズル（図示せず）が設けられたノズル面をヘッド下搬送部３に対向させて配置されている。各ヘッドユニット２１、２２、２３、２４は、ロール紙９の搬送方向と直交する主走査方向にロール紙９の記録領域幅以上の幅を有するラインヘッドである。
【００２７】
巻取部６は、プリンタ部４によって画像が印刷されて駆動ローラ３ｃを通過したロール紙９を、張力調整用のダンサローラ６ａを介して弛みなく巻取ロール６ｂに巻き取る。
【００２８】
次に、ヘッド下搬送部３の特に折り返しローラ３ｂの詳細な構成について、図２（ａ）〜（ｃ）を参照して説明する。
【００２９】
停電や故障等が発生すると、駆動ローラ３ｃを回転させる不図示のモータが異常停止する。但し、モータの異常停止後も駆動ローラ３ｃは、慣性による回転を暫く継続する。よって、ロール紙９の搬送は、慣性による駆動ローラ３ｃの回転が停止するまで継続される。ブレーキ２ｂも駆動ローラ３ｃと同様に、駆動ローラ３ｃのモータが異常停止した後も慣性による回転を暫く継続する。
【００３０】
そして、モータの異常停止後も、慣性により駆動ローラ３ｃが回転し続けて、駆動ローラ３ｃの回転負荷とブレーキ２ｂの制動力との差が減少し、ブレーキ２ｂ及び駆動ローラ３ｃ間のロール紙９の張力Ｔが低下して、ロール紙９が途中で弛むことが考えられる。
【００３１】
ロール紙９の張力Ｔの低下でロール紙９が途中で弛むと、折り返しローラ３ａ，３ｂ間において、ロール紙９のおもて面９ｂがプリンタ部４のヘッドユニット２１、２２、２３、２４のノズル面に接触する可能性がある。
【００３２】
弛んだロール紙９がヘッドユニット２１、２２、２３、２４のノズル面に接触すると、ヘッドユニット２１、２２、２３、２４の破損や印刷不良の原因となる。
【００３３】
そこで、本実施形態では、ロール紙９の搬送方向における下流側の折り返しローラ３ｂを、図２（ｂ）の説明図に示すように、折り返しローラ３ａとの軸間距離が増減する方向（図２（ｂ）中の水平方向）に移動可能に構成している。そして、折り返しローラ３ｂを、コイルばね５の弾発力によって、折り返しローラ３ａとの軸間距離が増える方向（図２（ｂ）中の右方向）に付勢している。
【００３４】
なお、コイルばね５のばね定数は、折り返しローラ３ａ，３ｂ間のロール紙９に付与される張力Ｔの大きさが、不図示のモータが正常に動作して駆動ローラ３ｃを回転させているときよりも低下すると、コイルばね５の弾発力により、折り返しローラ３ａとの軸間距離が増える方向に折り返しローラ３ｂが移動するような値に設定されている。
【００３５】
したがって、ロール紙９の搬送中には、折り返しローラ３ａ，３ｂ間のロール紙９のロール紙９に付与される張力Ｔにより折り返しローラ３ｂが、コイルばね５の付勢力に抗して、折り返しローラ３ａとの軸間距離が減る方向（図２（ｂ）中の左方向）に移動する。そして、折り返しローラ３ｂが移動範囲における最も折り返しローラ３ａ寄りの位置に配置される。このとき、コイルばね５は、圧縮されて弾発力を蓄積した状態となる。
【００３６】
一方、駆動ローラ３ｃのモータの異常停止によりロール紙９の搬送が異常停止されると、折り返しローラ３ａ，３ｂ間のロール紙９に付与される張力Ｔが低下して、折り返しローラ３ｂがコイルばね５の弾発力により付勢される。そして、図２（ｃ）の説明図に示すように、折り返しローラ３ａとの軸間距離が増える方向（図２（ｃ）中の右方向）に折り返しローラ３ｂが移動する。
【００３７】
折り返しローラ３ｂが移動すると、折り返しローラ３ｂ及び駆動ローラ３ｃ間のロール紙９の搬送経路が長くなり、折り返しローラ３ａ，３ｂ間のロール紙９の張力Ｔが、駆動ローラ３ｃのモータが異常停止する前の大きさ又はそれに近い大きさに増加する。したがって、折り返しローラ３ａ，３ｂ間のロール紙９には、図２（ａ）の説明図に示すような弛みが生じにくくなる。
【００３８】
このように構成された本実施形態のインクジェット記録装置１では、駆動ローラ３ｃのモータの正常動作中には、図３の説明図における破線で示すように、折り返しローラ３ａ，３ｂ間のロール紙９の張力Ｔとコイルばね５の弾発力Ｓとがバランスする位置に折り返しローラ３ｂが配置される。そして、折り返しローラ３ａ，３ｂ間のロール紙９が弛みなく緊張した状態に保持される。
【００３９】
一方、駆動ローラ３ｃのモータ（ロール紙９の搬送）の異常停止中には、図３の説明図における実線で示すように、コイルばね５の弾発力Ｓと、駆動ローラ３ｃのモータが異常停止により低下した折り返しローラ３ａ，３ｂ間のロール紙９の張力Ｔとがバランスする位置に折り返しローラ３ｂが配置される。このとき、ブレーキ２ｂは、慣性で回転しながら回転負荷に応じたブレーキをロール紙９にかけて、ロール紙９が各ヘッドユニット２１、２２、２３、２４のノズル面に接触しないようにしている。
【００４０】
よって、駆動ローラ３ｃのモータの正常動作中と異常停止中とを通じて、折り返しローラ３ａ，３ｂ間のロール紙９のおもて面９ｂが、図２（ｂ），（ｃ）に示すように、プリンタ部４のヘッドユニット２１、２２、２３、２４のノズル面に接触しにくくなる。
【００４１】
このため、ロール紙９がヘッドユニット２１、２２、２３、２４のノズル面に接触して、ヘッドユニット２１、２２、２３、２４の破損や印刷不良の原因となることを、抑制することができる。
【００４２】
また、駆動ローラ３ｃのモータの異常停止により折り返しローラ３ｂがコイルばね５の弾発力Ｓにより移動しても、ロール紙９の画像が印刷されるおもて面９ｂには何も接触しない。このため、おもて面９ｂ上のインクがロール紙９から他の部材に付着し、さらにその部材からロール紙９のおもて面９ｂに再付着することもない。
【００４３】
したがって、駆動ローラ３ｃのモータの異常停止に伴う折り返しローラ３ｂの移動により、ロール紙９のおもて面９ｂ上のインクが他の部材を介しておもて面９ｂに付着して、おもて面９ｂの画像の画質を劣化させることも、防ぐことができる。
【００４４】
なお、駆動ローラ３ｃのモータの異常停止に伴い、折り返しローラ３ｂがコイルばね５の弾発力Ｓにより移動する際には、折り返しローラ３ｂとロール紙９のうら面９ｃとの摩擦により、折り返しローラ３ｂがロール紙９の搬送時とは逆方向（図２（ｃ）中の反時計回り方向）に回転する可能性がある。
【００４５】
折り返しローラ３ｂがそのように回転すると、不図示のモータが停止した状態における駆動ローラ３ｃの回転負荷を上回る大きさで、ロール紙９が折り返しローラ３ｂによりロール紙収容部７への巻き戻し方向に引っ張られる可能性がある。そのような逆回転した折り返しローラ３ｂによるロール紙９の引っ張りは、折り返しローラ３ａ，３ｂ間のロール紙９に図２（ａ）に示すような弛みを生じさせる原因となる。
【００４６】
そこで、図４の説明図に示すように、駆動ローラ３ｃのモータ（ロール紙９の搬送）の異常停止に伴いコイルばね５の弾発力Ｓによって移動した折り返しローラ３ｂを、移動後の折り返しローラ３ｂの位置に固定配置したニップ部材８に圧接させるように構成してもよい。
【００４７】
ニップ部材８は、折り返しローラ３ｂの軸方向長さと同じ長さを有している。ニップ部材８の両端の圧接片８ａには、コイルばね５の弾発力Ｓによって移動した折り返しローラ３ｂのロール紙９が巻回されていない周面の露出部分が圧接される。両圧接片８ａ間に間隔をおいて形成された複数の圧接片８ｂには、コイルばね５の弾発力Ｓによって移動した折り返しローラ３ｂに巻回されたロール紙９のおもて面９ｂが圧接される。
【００４８】
したがって、ニップ部材８は、圧接片８ａに圧接した移動後の折り返しローラ３ｂの回転を規制すると共に、圧接片８ｂに圧接したロール紙９を折り返しローラ３ｂと共にニップする。
【００４９】
このため、図５の説明図に示すように、ニップ部材８に圧接されて回転を規制された移動後の折り返しローラ３ｂとニップ部材８とでニップされたロール紙９は、折り返しローラ３ａ側への移動を、ニップ部材８によって規制される。よって、折り返しローラ３ａ，３ｂ間のロール紙９が弛みなく緊張した状態に保持される。
【００５０】
したがって、ニップ部材８を用いることで、駆動ローラ３ｃのモータの異常停止中に折り返しローラ３ａ，３ｂ間のロール紙９が弛んで、ロール紙９がヘッドユニット２１、２２、２３、２４のノズル面に接触することを、より確実に防ぐことができる。
【００５１】
なお、上述した実施形態では、インクジェット記録装置１が送出部２及び巻取部６を備える構成として説明したが、インクジェット記録装置に対して外部装置として連続紙の送出装置及び巻取装置が接続された構成でもよい。
【００５２】
また、上述した実施形態では、ロール紙９の搬送方向における下流側の折り返しローラ３ｂを、折り返しローラ３ａとの軸間距離が増減する方向に移動可能に構成し、コイルばね５の弾発力によって折り返しローラ３ａとの軸間距離が増える方向に付勢した。
【００５３】
しかし、ロール紙９の搬送方向における上流側の折り返しローラ３ａを、折り返しローラ３ｂとの軸間距離が増減する方向に移動可能に構成し、コイルばねの弾発力によって折り返しローラ３ｂとの軸間距離が増える方向に付勢してもよい。
【００５４】
その場合、折り返しローラ３ｂは、上述した実施形態のように、折り返しローラ３ｂとの軸間間隔が増える方向に移動可能に構成してもよく、上述した実施形態における折り返しローラ３ａのように、折り返しローラ３ｂとの軸間方向に移動不能に構成してもよい。
【００５５】
さらに、上述した実施形態では、ヘッド下搬送部３の折り返しローラ３ａ，３ｂを、４つのヘッドユニット２１、２２、２３、２４の全体に対応して一組設けるものとした。しかし、図６の説明図に示すように、各ヘッドユニット２１、２２、２３、２４のそれぞれに対応して一組ずつ折り返しローラ３ａ，３ｂを設ける構成としてもよい。
【００５６】
その場合には、各組の折り返しローラ３ａ，３ｂの間に、対応するヘッドユニット２１、２２、２３、２４のノズル面に対して折り返しローラ３ａ，３ｂよりも下方に離れた箇所に、中継用のガイドローラ３ｄをそれぞれ設ければよい。ガイドローラ３ｄを設けることで、各組の折り返しローラ３ａ，３ｂ間のロール紙９に張力を持たせることができる。
【００５７】
また、上述した実施形態では、画像形成装置としてインクジェット記録装置１を用いた場合を例に取って説明した。しかし、本発明はインクジェット方式に限らず、電子写真方式、サーマルヘッド方式、孔版印刷方式等のインクジェット方式以外の方式によるプリンタを画像形成装置とする場合にも、広く適用することができる。
【００５８】
なお、電子写真方式や孔版印刷方式の画像形成装置に本発明を適用する場合は、転写ドラムの近傍に折り返しローラ３ａ，３ｂを配置し、サーマルヘッド方式の画像形成装置に本発明を適用する場合は、サーマルヘッドの近傍に折り返しローラ３ａ，３ｂを配置する。そして、停電や故障の発生等によりロール紙９の搬送が異常停止した際に、折り返しローラ３ａや折り返しローラ３ｂを、相互の軸間距離が増えるように移動させればよい。
【００５９】
さらに、本発明は上記の実施形態そのままに限定されるものではなく、実施段階ではその要旨を逸脱しない範囲で構成要素を変形して具体化できる。また、上記の実施形態に開示されている複数の構成要素の適宜な組み合せにより、種々の発明を形成できる。例えば、実施形態に示される全構成要素から幾つかの構成要素を削除してもよい。
【００６０】
そして、以上に説明した実施形態によって、以下に示す各態様の発明が開示される。
【００６１】
まず、第１の態様による発明として、
連続紙（例えば、図１のロール紙）の一方の面（例えば、図１のおもて面９ｂ）に画像を形成する画像形成部（例えば、図１のプリンタ部４）と、
前記連続紙の搬送方向に前記画像形成部を挟んで所定間隔（例えば、図２（ａ）の駆動ローラ３ｃのモータの正常動作中における折り返しローラ３ａ，３ｂの間隔）を置いた２か所を、ぞれぞれ前記連続紙の他面側（例えば、図１のうら面９ｃ）から支持しながら前記連続紙を搬送させる２つのローラ（例えば、図１の折り返しローラ３ａ，３ｂ）と、
前記連続紙の搬送が停止した場合に、前記２つのローラのうち、少なくとも１つのローラ（例えば、図１の折り返しローラ３ｂ）を、前記所定距離が増える方向に移動させる移動部（例えば、図２（ｂ）のコイルばね５）と、
を備える画像形成装置（例えば、図１のライン型インクジェット記録装置１）が開示される。
【００６２】
そして、第１の態様による発明の画像形成装置によれば、停電や故障の発生により連続紙の搬送が停止（異常停止）されると、２つのローラのうち少なくとも１つのローラが、連続紙の搬送時における所定間隔よりも２つのローラ間の間隔が増える方向に移動する。
【００６３】
このため、連続紙の搬送の異常停止により２つのローラ間の連続紙に付与される張力が搬送中よりも低下しても、少なくとも１つのローラの移動により２つのローラ間の連続紙に搬送中と同様の張力が付与される。よって、連続紙の搬送の異常停止により２つのローラ間の連続紙に弛みが生じて画像形成部に接触することがない。
【００６４】
また、連続紙の搬送の異常停止により移動する少なくとも１つのローラは、連続紙の画像が形成される一方の面とは反対側の他面に接触している。よって、少なくとも１つのローラが連続紙の搬送の異常停止により移動しても、画像が形成された連続紙の１つの面に２つのローラが接触することがない。
【００６５】
したがって、連続紙の搬送が異常停止しても、それに伴い移動する少なくとも１つのローラに連続紙の一方の面からインクが付着したり、そのインクが１つのローラから連続紙の一方の面に再付着して、連続紙の画像の画質を劣化させることがない。
【００６６】
よって、連続紙の搬送の異常停止時に連続紙の画像形成部への接触を防ぐと共に、連続紙の画像形成部への接触を防ぐ際に、連続紙からのインクの付着や、付着したインクの連続紙への再付着を抑制することができる。
【００６７】
次に、第２の態様による発明として、前記移動部は、前記連続紙の搬送中において、前記少なくとも１つのローラに対して、前記所定間隔が増える方向に付勢している付勢部（例えば、図２（ｂ）のコイルばね５）を有している画像形成装置が開示される。
【００６８】
そして、第２の態様による発明の画像形成装置によれば、停電や故障の発生により連続紙の搬送が停止（異常停止）されると、２つのローラ間の連続紙に付与される張力が搬送中よりも低下する。このため、連続紙の張力が付勢部材の付勢力に対抗できなくなり、付勢部材の付勢力により２つのローラのうち少なくとも１つのローラが、２つのローラの軸間距離が増える方向に移動する。
【００６９】
よって、連続紙の搬送の異常停止時に、２つのローラのうち少なくとも１つのローラを、付勢部の付勢力により確実に、２つのローラ間の軸間距離が増える方向に移動させることができる。
【００７０】
続いて、第３の態様による発明として、前記移動部による移動後の位置において、前記２つのローラのうち前記移動部により移動されるローラと協働して前記連続紙をニップするニップ部（例えば、図４のニップ部材８）をさらに備える画像形成装置が開示される。
【００７１】
そして、第３の態様による発明の画像形成装置によれば、連続紙の搬送の異常停止により少なくとも１つのローラが、２つのローラの軸間距離が増える方向に移動すると、移動したローラが支持する連続紙を、移動したローラがニップ部と協働してニップする。
【００７２】
このため、連続紙の搬送が停止（異常停止）したときに、連続紙の搬送の異常停止により移動する少なくとも１つのローラが支持する箇所において、移動したローラが回転して連続紙を搬送方向に移動させることを、移動したローラとニップ部とによる連続紙のニップで防ぐことができる。よって、２つのローラ間の連続紙がローラの移動により搬送方向に移動して弛むのを防ぐことができる。
【符号の説明】
【００７３】
１  ライン型インクジェット記録装置（画像形成装置）
２  送出部
２ａ，６ａ  ダンサローラ
２ｂ  ブレーキ
３  ヘッド下搬送部
３ａ  折り返しローラ（２つのローラ）
３ｂ  折り返しローラ（２つのローラ、少なくとも１つのローラ）
３ｃ  駆動ローラ
３ｄ  ガイドローラ
４  プリンタ部（画像形成部）
５  コイルばね（移動部、付勢部）
６  巻取部
６ｂ  巻取ロール
７  ロール紙収容部
８  ニップ部材（ニップ部）
８ａ，８ｂ  圧接片
９  ロール紙（連続紙）
９ａ  紙管
９ｂ  ロール紙おもて面（連続紙の一方の面）
９ｃ  ロール紙うら面（連続紙の他面）
１０  制御ユニット
２１  Ｃ色ヘッドユニット
２２  Ｋ色ヘッドユニット
２３  Ｍ色ヘッドユニット
２４  Ｙ色ヘッドユニット
２５  ヘッドホルダ
Ｓ  コイルばねの弾発力
Ｔ  折り返しローラ間のロール紙の張力
【図１】
2019177504.tif 000003
【図２】
2019177504.tif 000004
【図３】
2019177504.tif 000005
【図４】
2019177504.tif 000006
【図５】
2019177504.tif 000007
【図６】
2019177504.tif 000008